(57)【特許請求の範囲】
【請求項１】
自転車の前フォークに前フォーク緊迫構造を結合して、前記前フォーク緊迫構造に泥除けを固定する泥除け用快速脱着構造において、
その上部が前記前フォークの末端に組み付けられ、その底部に収容空間が設けられ、前記収容空間の設置方向を縦方向と定義し、その周面に二つの貫通孔が設けられ、前記貫通孔の貫通方向を横方向と定義し、前記貫通孔は前記収容空間の壁を切って切り欠を形成し、前記切り欠が前記収容空間と連通し、その周面に弾性片が成形されており、締結具は、前記縦方向に沿って前記収容空間を挿通して、前記前フォーク緊迫構造に締結される取付台と、
前記泥除けに設けられ、前記収容空間に収容され、その周面には、前記切り欠に応じて円弧状切り欠が設けられ、前記切り欠に前記円弧状切り欠を合せると、前記貫通孔が形成される係止柱と、
Ｕ字形を呈し、圧制段と、二つの係止段と、が成形されており、前記二つの係止段は、それぞれ前記取付台の前記二つの貫通孔を挿通して係止され、前記貫通孔に沿って変位でき、その内側に二つの円弧窪みが設けられ、前記取付台の前記切り欠に前記円弧窪みを合せると、前記収容空間の壁面が形成され、前記取付台の前記弾性片が前記制御具の前記圧制段を押付け、又は前記圧制段が前記弾性片を圧制することにより、前記制御具の前記円弧窪みが前記取付台の前記切り欠からずれて、前記係止柱が前記取付台に係止され、或いは前記制御具の前記円弧窪みが前記取付台の前記切り欠に合せて、前記係止柱が前記取付台から離脱できる制御具と、
を含むことを特徴とする泥除け用快速脱着構造。
【請求項２】
前記取付台の上部は、前記前フォークの末端に当接する端面を有し、前記収容空間の底部にシンクホールが設けられ、前記シンクホールが前記端面に設けられ、前記取付台の両側に円弧壁が成形され、前記各円弧壁が前記貫通孔に貫通され、前記弾性片は前記取付台の前記円弧壁のうちの一つから延びて成形され、前記締結具は、前記収容空間から前記シンクホールを挿通して、前記前フォーク緊迫構造に締結され、
前記制御具は、中段が圧制段に成形され、両端がそれぞれ係止段に成形され、前記二つの係止段の末端に規制突起が成形され、前記二つの円弧窪みが前記二つの係止段の内側に成形され、前記制御具の前記二つの係止段が前記取付台の前記二つの貫通孔を挿通可能であり、前記規制突起が前記貫通孔の縁部に係止されることを特徴とする、請求項１に記載の泥除け用快速脱着構造。
【請求項３】
前記前フォーク緊迫構造は、前記前フォークの内部に設けられ、拘束ブッシュと、緊迫具と、を含み、
前記拘束ブッシュは、前記縦方向に沿って前記取付台の前記端面に設けられ、両端を有し、一端が開放端に成形され、他端が結合端に成形され、前記開放端から前記縦方向に沿って複数の剖開溝が設けられ、前記各剖開溝の間に複数の弾性片が成形され、
前記緊迫具は、前記縦方向に沿って前記拘束ブッシュの前記開放端に設けられ、両端を有し、一端が大径端であり、他端が小径端であり、前記大径端と前記小径端の間にテーパー面が成形され、前記テーパー面が締結穴に貫通され、前記小径端が前記拘束ブッシュの前記開放端に位置し、前記締結具は、前記取付台の前記シンクホール、前記拘束ブッシュ及び前記緊迫具の前記締結穴を挿通してナットにねじ込まれ、前記複数の弾性片は、前記テーパー面に圧迫されて変形して、前記前フォークの内壁に緊迫することを特徴とする、請求項２に記載の泥除け用快速脱着構造。
【請求項４】
前記拘束ブッシュの前記弾性片の内面に複数の縦リブが成形され、前記緊迫具には、前記拘束ブッシコ.の前記縦リブに対応する縦溝が複数設けられ、前記緊迫具の前記テーパー面が前記拘束ブッシュの前記各弾性片を圧制し、前記拘束ブッシュの前記縦リブは前記緊迫具の前記縦溝にそれぞれ対応することを特徴とする、請求項３に記載の泥除け用快速脱着構造。
【請求項５】
前記取付台の前記端面の中央に多辺形柱が成形され、前記拘束ブッシュの前記結合端には、前記多辺形柱に合せ可能な多辺形穴が設けられることを特徴とする、請求項３に記載の泥除け用快速脱着構造。
【請求項６】
前記制御具の前記二つの係止段の末端には、挟み口がそれぞれ成形されることを特徴とする、請求項２に記載の泥除け用快速脱着構造。
【請求項７】
前記泥除けに組付台が設けられ、前記係止柱と前記泥除けの前記組付台の間には、係合回転盤が組み付けられ、前記係止柱の底部の周縁に突起が複数設けられ、前記係合回転盤は、その底部に組付空間が設けられ、その上部には、前記組付空間と連通する穿孔が複数設けられ、前記係止柱の前記突起が前記係合回転盤の前記穿孔に対応して係止されることを特徴とする、請求項１に記載の泥除け用快速脱着構造。
【請求項８】
前記係合回転盤の前記各穿孔の一側には、前記組付空間の内部に向いておりかつＬ字形を呈する係止ブロックが成形され、前記泥除けの前記組付台に円弧形溝が複数設けられ、前記各円弧形溝は、一端が溝壁に成形され、他端が開口に成形され、前記係止ブロックが前記円弧形溝に収容され、前記係止ブロックの末端が前記円弧形溝の開口に挿入して係止されることを特徴とする、請求項７に記載の泥除け用快速脱着構造。
【請求項９】
前記取付台の前記弾性片に対応する周面が平面に成形され、前記弾性片と前記取付台の連接箇所に変形部が成形され、前記制御具の前記圧制段が前記弾性片を圧制するときには、
前記変形部が圧縮されて変形し、前記弾性片が前記平面を圧制することを特徴とする、請求項２に記載の泥除け用快速脱着構造。
【請求項１０】
前記取付台の前記収容空間の前記溝壁には、互いに対向する二つの規制面と、互いに対向する二つの円弧面と、が成形され、前記二つの切り欠は前記取付台の前記二つの円弧面にそれぞれ成形され、前記係止柱の周面には、互いに対向する二つの定位面と、互いに対向する二つの円弧面と、が成形され、前記二つの円弧状切り欠は前記係止柱の前記二つの円弧面にそれぞれ成形され、前記係止柱が前記取付台の前記収容空間に収容されるときには、前記係止柱の前記円弧面及び前記定位面が前記取付台の前記収容空間の前記円弧面及び前記規制面にそれぞれ対応して係止されることを特徴とする、請求項１に記載の泥除け用快速脱着構造。
【発明の詳細な説明】
【技術分野】
【０００１】
本発明は、泥除けの構造に関し、特に、自転車の前フォークに設けられる泥除け用快速脱着構造に関するものである。
【背景技術】
【０００２】
環境保全及び健康を追求するために、自転車産業が盛んに発展してきた。近代的な自転車は、色々なアクセサリーがあり、例えば泥除けなどがある。これらのアクセサリーは、ユーザの必要によって、自転車に快速に脱着できることが基本である。
【０００３】
図１及び図２を参照する。図１及び図２に示すのは、本願の出願者が提案した特許文献1の「脱着可能な自転車前フォークアクセサリー結合装置」である。これは、自転車の前フォークＡの末端に前フォーク緊迫構造Ｂが結合され、前フォーク緊迫構造Ｂの底部に快速脱着構造Ｃが組み付けられる。快速脱着構造Ｃにより、泥除けＤは前フォークＡに快速に脱着できる。図１に示すように、泥除けＤの表面に円形を呈する組付台Ｄ１が設けられ、組付台Ｄ１の端面に円弧形溝Ｄ２が四つ設けられ、これらの円弧形溝Ｄ２は、一端が溝壁Ｄ２１に成形され、他端が開口Ｄ２２に成形される。
【０００４】
図２は従来の泥除けとその固定構造の組合済み状態を示す断面図である。快速脱着構造Ｃは制御具１０を有する。制御具１０には、台部１０１と、柄部１０２と、が成形される。台部１０１の上方にディスク１１が設けられる。ディスク１１の周囲に環状端面１１１が成形される。環状端面１１１には、前フォークＡの末端にある押付縁Ａ１が当接されている。台部１０１の下方に結合具１２が設けられる。結合具１２の周面に四つの係止ブロック１０３が設けられる。係止ブロック１０３は、円周方向に沿って成形され、Ｌ字形の断面形状を有する。結合具１２の下面の中央にシンクホール１２１が設けられる。締結具１３は、結合具１２のシンクホール１２１から、制御具１０の台部１０１及びディスク１１を順次に挿通して、前フォーク緊迫構造Ｂに締結すると、前フォーク緊迫構造Ｂが前フォークＡに結合される。このように、泥除けＤの四つの円弧形溝Ｄ２に制御具１０の四つの係止ブロック１０３を対応して、円弧形溝Ｄ２の開口Ｄ２２に係止ブロック１０３の末端を挿入することにより、前フォークＡに泥除けＤを固定することができる。
【０００５】
しかし、従来の快速脱着構造Ｃと前フォーク緊迫構造Ｂの組付構造と、制御具１０の柄部１０１を引くことにより、台部１０２を、泥除けＤと係止し、又は泥除けＤから離脱する操作方式には、下記の欠点がある。
【０００６】
（１）制御具１０は、台部１０２を旋回することによって泥除けＤと係止し、実際に操作するときには、ユーザが制御具１０の上方から係止ブロック１０３の位置を容易に判断できないため、泥除けＤの円弧形溝Ｄ２を係止ブロック１０３に対応するように試んで、制御具１０を引いて両者を係止する。しかし、制御具１０を旋回すると、泥除けＤの自転車のタイヤに対応する位置が影響され、これにより、泥除けＤを固定した後、制御具１０の柄部１０２を引いて泥除けＤの位置を矯正しないと、泥除け効果が良くない。
【０００７】
（２）快速脱着構造Ｃが旋回方式によって泥除けＤに組付けるが、両者の係止構造が旋回方向の上方に位置するため、ユーザが大きすぎる力を両者に加えると、係止構造又は制御具１０の柄部１０２を損壊する可能性がある。
【０００８】
（３）快速脱着構造Ｃは制御具１０を旋回することによって操作するため、制御具１０を旋回する過程中に前フォークＡ及び泥除けＤの磨耗を回避するために、ディスク１１及び結合具１２を設けることが必要である。そうすると、構造が複雑となり、組付作業が不便となり、生産コストが増加する。
【先行技術文献】
【特許文献】
【０００９】
【特許文献１】台湾特許Ｍ２９０８５１号公報
【発明の概要】
【発明が解決しようとする課題】
【００１０】
本発明の主な目的は、泥除けを取り外すときには、制御具を押圧するだけで、圧制段の円弧窪みが取付台の切り欠に合せて、障害なしの貫通孔を形成でき、これにより、係止柱が取付台から離脱でき、泥除けの脱着が便利となる泥除け用快速脱着構造を提供することにある。
【００１１】
本発明の次の目的は、全体の構造が簡素となり、生産コストを減少でき、無理な力が加えられても、係止構造は損壊しない泥除け用快速脱着構造を提供することにある。
【００１２】
本発明の別の目的は、泥除けに快速脱着構造の取付台を直接に結合でき、或いは泥除けの組付台に係合回転盤を係止して、これらを取付台に結合できる泥除け用快速脱着構造を提供することにある。
【課題を解決するための手段】
【００１３】
本発明の泥除け用快速脱着構造によると、自転車の前フォークに前フォーク緊迫構造を結合して、前フォーク緊迫構造に泥除けを固定する泥除け用快速脱着構造において、その上部が前フォークの末端に組み付けられ、その底部に収容空間が設けられ、収容空間の設置方向を縦方向と定義し、その周面に二つの貫通孔が設けられ、貫通孔の貫通方向を横方向と定義し、貫通孔は収容空間の壁を切って切り欠を形成し、切り欠が収容空間と連通し、その周面に弾性片が成形されており、締結具は、縦方向に沿って収容空間を挿通して、前フォーク緊迫構造に締結される取付台と、泥除けに設けられ、収容空間に収容され、その周面には、切り欠に応じて円弧状切り欠が設けられ、切り欠に円弧状切り欠を合せると、貫通孔が形成される係止柱と、Ｕ字形を呈し、圧制段と、二つの係止段と、が成形されており、二つの係止段は、それぞれ取付台の二つの貫通孔を挿通して係止され、貫通孔に沿って変位でき、その内側に二つの円弧窪みが設けられ、取付台の切り欠に円弧窪みを合せると、収容空間の壁面が形成され、取付台の弾性片が制御具の圧制段を押付け、又は圧制段が弾性片を圧制することにより、制御具の円弧窪みが取付台の切り欠からずれて、係止柱が取付台に係止され、或いは制御具の円弧窪みが取付台の切り欠に合せて、係止柱が取付台から離脱できる制御具と、を含むことを特徴とする。
【００１４】
本発明の泥除け用快速脱着構造によると、取付台の上部は、前フォークの末端に当接する端面を有し、収容空間の底部にシンクホールが設けられ、シンクホールが端面に設けられ、取付台の両側に円弧壁が成形され、各円弧壁が貫通孔に貫通され、弾性片は取付台の円弧壁のうちの一つから延びて成形され、締結具は、収容空間からシンクホールを挿通して、前フォーク緊迫構造に締結され、制御具は、中段が圧制段に成形され、両端がそれぞれ係止段に成形され、二つの係止段の末端に規制突起が成形され、二つの円弧窪みが二つの係止段の内側に成形され、制御具の二つの係止段が取付台の二つの貫通孔を挿通可能であり、規制突起が貫通孔の縁部に係止されることを特徴とする。
【００１５】
本発明の泥除け用快速脱着構造によると、前フォーク緊迫構造は、前フォークの内部に設けられ、拘束ブッシュと、緊迫具と、を含み、拘束ブッシュは、縦方向に沿って取付台の端面に設けられ、両端を有し、一端が開放端に成形され、他端が結合端に成形され、開放端から縦方向に沿って複数の剖開溝が設けられ、各剖開溝の間に複数の弾性片が成形され、緊迫具は、縦方向に沿って拘束ブッシュの開放端に設けられ、両端を有し、一端が大径端であり、他端が小径端であり、大径端と小径端の間にテーパー面が成形され、テーパー面が締結穴に貫通され、小径端が拘束ブッシュの開放端に位置し、締結具は、取付台のシンクホール、拘束ブッシュ及び緊迫具の締結穴を挿通してナットにねじ込まれ、複数の弾性片は、テーパー面に圧迫されて変形して、前フォークの内壁に緊迫することを特徴とする。
【００１６】
本発明の泥除け用快速脱着構造によると、拘束ブッシュの弾性片の内面に複数の縦リブが成形され、緊迫具には、拘束ブッシュの縦リブに対応する縦溝が複数設けられ、緊迫具のテーパー面が拘束ブッシュの各弾性片を圧制し、拘束ブッシュの縦リブは緊迫具の縦溝にそれぞれ対応することを特徴とする。
【００１７】
本発明の泥除け用快速脱着構造によると、取付台の端面の中央に多辺形柱が成形され、拘束ブッシュの結合端には、多辺形柱に合せ可能な多辺形穴が設けられることを特徴とする。
【００１８】
本発明の泥除け用快速脱着構造によると、制御具の二つの係止段の末端には、挟み口がそれぞれ成形されることを特徴とする。
【００１９】
本発明の泥除け用快速脱着構造によると、泥除けに組付台が設けられ、係止柱と泥除けの組付台の間には、係合回転盤が組み付けられ、係止柱の底部の周縁に突起が複数設けられ、係合回転盤は、その底部に組付空間が設けられ、その上部には、組付空間と連通する穿孔が複数設けられ、係止柱の突起が係合回転盤の穿孔に対応して係止されることを特徴とする。
【００２０】
本発明の泥除け用快速脱着構造によると、係合回転盤の各穿孔の一側には、組付空間の内部に向いておりかつL字形を呈する係止ブロックが成形され、泥除けの組付台に円弧形溝が複数設けられ、各円弧形溝は、一端が溝壁に成形され、他端が開口に成形され、係止ブロックが円弧形溝に収容され、係止ブロックの末端が円弧形溝の開口に挿入して係止されることを特徴とする。
【００２１】
本発明の泥除け用快速脱着構造によると、取付台の弾性片に対応する周面が平面に成形され、弾性片と取付台の連接箇所に変形部が成形され、制御具の圧制段が弾性片を圧制するときには、変形部が圧縮されて変形し、弾性片が平面を圧制することを特徴とする。
【００２２】
本発明の泥除け用快速脱着構造によると、取付台の収容空間の溝壁には、互いに対向する二つの規制面と、互いに対向する二つの円弧面と、が成形され、二つの切り欠は取付台の二つの円弧面にそれぞれ成形され、係止柱の周面には、互いに対向する二つの定位面と、互いに対向する二つの円弧面と、が成形され、二つの円弧状切り欠は係止柱の二つの円弧面にそれぞれ成形され、係止柱が取付台の収容空間に収容されるときには、係止柱の円弧面及び定位面が取付台の収容空間の円弧面及び規制面にそれぞれ対応して係止されることを特徴とする。
【発明の効果】
【００２３】
本発明の泥除け用快速脱着構造によれば、次のような効果がある。
（１）泥除けを取り外すときには、制御具を押圧するだけで、圧制段の円弧窪みが取付台の切り欠に合せて、障害なしの貫通孔を形成でき、これにより、係止柱が取付台から離脱でき、泥除けの脱着が便利となる。
【００２４】
（２）全体の構造が簡素となり、生産コストを減少でき、無理なカが加えられても、係止構造は損壊しない。
【００２５】
（３）泥除けに快速脱着構造の取付台を直接に結合でき、或いは泥除けの組付台に係合回転盤を係止して、これらを取付台に結合できる。
【図面の簡単な説明】
【００２６】
【図１】従来の泥除けとその固定構造を示す分解斜視図である。
【図２】従来の泥除けとその固定構造の組合済み状態を示す断面図である。
【図３】本発明の実施例１が自転車の前フォークに組み付けられた状態を示す斜視図である。
【図４】本発明の実施例１を示す分解斜視図である。
【図５】本発明の実施例１の組合済み状態を示す断面図である。
【図６】本発明の実施例１が泥除けから分離した状態を示す断面図である。
【図７Ａ】本発明の実施例１の係止状態を示す斜視図である。
【図７Ｂ】図７Ａの横断面図である。
【図８Ａ】本発明の実施例１の離脱状態を示す斜視図である。
【図８Ｂ】図８Ａの横断面図である。
【図９】図６における９−９線の断面図である。
【図１０】図６における１０−１０線の断面図である。
【図１１】本発明の実施例２の組合済み状態を示す断面図である。
【発明を実施するための形態】
【００２７】
以下、本発明の実施の形態を図面に基づいて説明する。
【００２８】
まず、図３を参照する。図３は本発明の実施例１が自転車の前フォークに組み付けられた状態を示す斜視図である。快速脱着構造Ｃは前フォーク緊迫構造Ｂにより前フォークＡに結合される。快速脱着構造Ｃに泥除けＤを固定できる。図４、図５及び図７Ｂを参照する。快速脱着構造Ｃは、取付台２０と、係止柱３０と、制御具４０と、を含む。
【００２９】
取付台２０は、前フォークＡの末端に組み付けられ、その上部が端面２１を有し、端面２１が前フニォークＡの末端にある押付縁Ａ１に当接する。取付台２０の底部に収容空間２３が設けられる。収容空間２３の設置方向を縦方向Ｙと定義する。収容空間２３の溝壁には、互いに対向する二つの規制面２３２と、互いに対向する二つの円弧面２３１と、が成形される。収容空間２３の底部にシンクホール２４が設けられ、シンクホール２４が端面２１に設けられる。シンクホール２４の収容空間２３に向いている開口は、内側へ徐々に縮径するテーパー面を呈する。取付台２０の両側に円弧壁２５、２５が成形される。各円弧壁２５が貫通孔２６に貫通される。貫通孔２６の貫通方向を横方向Ｘと定義する。貫通孔２６は収容空間２３の円弧面２３１を切って切り欠２６１を形成する。切り欠２６１は収容空間２３及び貫通孔２６と連通する。取付台２０には、円弧壁２５の端部にある周面から弾性片２７が成形される。締結具２９は、縦方向Ｙに沿って収容空間２３を挿通して、前フニォーク緊迫構造Ｂに締結される。
【００３０】
図４を参照する。本実施例では、取付台２０の端面２１の中央に多辺形柱２２が成形される。取付台２０の弾性片２７に対応する周面が平面２８に成形される。弾性片２７と取付台２０の連接箇所に変形部２７１が成形される。
【００３１】
係止柱３０は、泥除けＤに設けられ、その周面には、互いに対向する二つの定位面３０２と、互いに対向する二つの円弧面３０１と、が成形される。係止柱３０が取付台２０の収容空間２３に収容されるときには、係止柱３０の円弧面３０１、３０１及び定位面３０２、３０２が取付台２０の収容空間２３の円弧面２３１、２３１及び規制面２３２、２３２にそれぞれ対応して係止される。係止柱３０の円弧面３０１、３０１には、取付台２０の切り欠２６１に対応する円弧状切り欠３１、３１が設けられる。本実施例では、規制面２３２及び定位面３０２が平面に成形される。取付台２０の収容空間２３に係止柱３０を係止することにより、切り欠２６１に円弧状切り欠３０を合せると、貫通孔２６が形成される。
【００３２】
制御具４０は、Ｕ字形を呈し、その中段に圧制段４０１が成形される。圧制段４０１の両端に係止段４０２、４０２が成形される。制御具４０の係止段４０２、４０２は、それぞれ取付台２０の貫通孔２６、２６を挿通して係止され、貫通孔２６に沿って変位できる。係止段４０２、４０２の取付台２０に対応する両側を外側と定義し、係止段４０２、４０２の係止柱３０に対応する両側を内側と定義する。係止段４０２の末端に挟み口４１が成形される。挟み口４１の外側は規制突起４２に成形される。取付台２０の貫通孔２６、２６に制御具４０の係止段４０２、４０２を挿入すると、規制突起４２は、挟み口４１を圧縮して貫通孔２６に挿入して、貫通孔２６の縁部に係止される。係止段４０２、４０２の中段の内側に円弧窪み４３、４３が設けられる。円弧窪み４３は、取付台２０の収容空間２３の円弧面２３１の形状に対応する形状に成形される。このように、制御具４０を貫通孔２６に挿入して、円弧窪み４３が取付台２０の切り欠２６１に合せると、収容空間２３の円弧面２３１が完壁な壁面となる。
【００３３】
図５及び図６を参照する。取付台２０の弾性片２７が制御具４０の圧制段４０１を押付け、又は圧制段４０の圧制段４０１が弾性片２７を圧制することにより、制御具４０の円弧窪み４３が取付台２０の切り欠２６１からずれて、係止柱３０が取付台２０に係止され、或いは制御具４０の円弧窪み４３が取付台２０の切り欠２６１に合せて、係止柱３０が取付台２０から離脱する。
【００３４】
次に、本実施例の操作方式及び効果を説明する。図５、図６、図７Ａ及び図７Ｂを参照する。快速脱着構造Ｃは、制御具４０の圧制段４０１を押圧することにより、係止柱４０が設けられる泥除けＤを前フォークＡの取付台２０に脱着することができる。
【００３５】
係止柱４０を押圧していないときには、図７Ａに示すように、取付台２０の弾性片２７は、その弾力により制御具４０の圧制段４０１に当接することにより、制御段４０の係止段４０２の末端にある規制突起４２が取付台２０に係止されて定位する。図５及び図７Ｂに示すように、制御具４０の円弧窪み４３、４３が取付台２０の貫通孔２６の切り欠２６１からずれ、且つ制御具４０の係止段４０２の末端の一部が係止柱３０の円弧状切り欠３１に収容される。これにより、係止柱３０が縦方向Ｙに沿って取付台２０から離脱することが障害され、ひいては取付台２０が設けられる前フォークＡに、係止柱３０が設けられる泥除けＤを係止することができる。
【００３６】
また、泥除けＤを取り外したいときには、図８Ａに示すように、横方向Ｘに沿って制御具４０の圧制段４０１を押圧することにより、圧制段４０１が取付台２０の弾性片２７を圧制して、弾性片２７の変形部２７１が圧縮されて変形して平面２８に押付ける。図６及び図８Ｂに示すように、制御具４０が押圧されて移動して、円弧窪み４３、４３が取付台２０の貫通孔２６の切り欠２６１、２６１に合せると、係止柱３０の取付台２０から離脱するための回避空間が形成される。このように、前フォークＡから泥除けＤを取り外すことができる。また、泥除けＤの組付操作は、同じように、制御具４０を押圧することにより、円弧窪み４３が取付台２０の切り欠２６１に合せて、係止柱３０を縦方向Ｙに沿って取付台２０に入れて、制御具４０に加えるカを無くすると、制御具４０が弾性片２７に押付けられて本来の位置に戻って、係止柱３０が取付台２０に係止される。
【００３７】
前フォークＡに快速脱着構造Ｃ及び前フォーク緊迫構造Ｂを固定する構成は、図４、図５、図９及び図１０に示すように、前フォーク緊迫構造Ｂは、拘束ブッシュ５０と、緊迫具６０と、を含む。
【００３８】
拘束ブッシュ５０は、縦方向Ｙに沿って取付台２０の端面２１に設けられ、両端を有し、一端が開放端５０１に成形され、他端が結合端５０２に成形される。開放端５０１から縦方向Ｙに沿って複数の剖開溝５１が設けられる。各剖開溝５１の間に複数の弾性片５２に成形される。弾性片５２の内面に複数の縦リブ５３が成形される。拘束ブッシュ５０の結合端５０２には、取付台２０の多辺形柱２２に合せ可能な多辺形穴５４が設けられる。
【００３９】
緊迫具６０は、縦方向Ｙに沿って拘束ブッシュ５０の開放端５０１に設けられ、両端を有し、一端が大径端６０１であり、他端が小径端６０２である。大径端６０１と小径端６０２の間にテーパー面６１が成形される。テーパー面６１は締結穴６３に貫通される。小径端６０２は拘束ブッシュ５０の開放端５０１に位置する。テーパー面６１には、拘束ブッシュ５０の縦リブ５３に対応する縦溝６２が複数設けられる。締結具２９は、取付台２０のシンクホール２４、拘束ブッシュ５０及び緊迫具６０の締結穴６３を挿通してナット６４にねじ込まれる。拘束ブッシュ５０の縦リブ５３は緊迫具６０の縦溝６２に収容され、且つ複数の弾性片５２は、テーパー面６１に圧迫されて変形して、前フォークＡの内壁に緊迫する。
【００４０】
本実施例の快速脱着構造Ｃの係止柱３０は、図１０に示すように、係合回転盤７０を介して泥除けＤに設けられる。図９に示すように、係止柱３０の底部の周縁に突起３２が複数設けられる。係合回転盤７０は、その底部に組付空間７１が設けられ、その上部には、組付空間７１と連通する穿孔７２が複数設けられる。係止柱３０の突起３２が係合回転盤７０の穿孔７２に対応して係止される。係合回転盤７０の各穿孔７２の一側には、組付空間７１の内部に向いておりかつＬ字形を呈する係止ブロック７２が成形される。泥除けＤの組付台Ｄ１に円弧形溝Ｄ２が複数設けられる。各円弧形溝Ｄ２は、一端が溝壁Ｄ２１に成形され、他端が開口Ｄ２２に成形される。係止ブロック７３が円弧形溝Ｄ２に収容され、係止ブロック７３の末端が円弧形溝Ｄ２の開口Ｄ２２に挿入して係止される。図１１に示すように、快速脱着構造Ｃの係止柱３０は泥除けＤに直接に成形されてもよい。そうすると、泥除けＤに設けられる係止柱３０は、取付台２０に直接に挿し込んで利用できる。
【産業上の利用可能性】
【００４１】
本発明は、自転車の泥除けに適用することができる。
【符号の説明】
【００４２】
１０：制御具、１１：ディスク、１２：結合具、１３：締結具、２０：取付台、２１：:端面、２２：多辺形柱、２３：収容空間、２４：シンクホール、２５：円弧壁、２６：貫通孔、２７：弾性片、２８：平面、２９：締結具、３０：係止柱、３１：円弧状切り欠、３２：突起、４０：制御具、４１：挟み口、４２：規制突起、４３：円弧窪み、５０：拘束ブッシュ、５１：剖開溝、５２：弾性片、５３：縦リブ、５４：:多辺形穴、６０：緊迫具、６１：デーパー面、６２：縦溝、６３：締結穴、６４：ナット、７０：係合回転盤、７１：組付け空間、７２：穿孔、７３：係止ブロック、１０１：台部、１０２：柄部、１０３：係止ブロック、１１１：環状端面、１２１：シンクホール、２３１：円弧面、２３２：規制面、２６１：切り欠、２７１：変形部、３０１：円弧面、３０２：定位面、４０１：圧制段、４０２：係止段、５０１：開放端、５０２：結合端、６０１：大径端、６０２：小径端、Ａ：前フオーク、Ａ１：押付縁、Ｂ：前フォーク緊迫構造、Ｃ：快速脱着構造、Ｄ：泥除け、Ｄ１：組付台、Ｄ２：円弧形溝、Ｄ２１：溝壁、Ｄ２２：開口、Ｘ：横方向、Ｙ：縦方向。
【図１】
0005308549.tif 000002
【図２】
0005308549.tif 000003
【図３】
0005308549.tif 000004
【図４】
0005308549.tif 000005
【図５】
0005308549.tif 000006
【図６】
0005308549.tif 000007
【図７Ａ】
0005308549.tif 000008
【図７Ｂ】
0005308549.tif 000009
【図８Ａ】
0005308549.tif 000010
【図８Ｂ】
0005308549.tif 000011
【図９】
0005308549.tif 000012
【図１０】
0005308549.tif 000013
【図１１】
0005308549.tif 000014